(57)【特許請求の範囲】
【請求項１】
エレベーターの出入開口枠の側枠部分に設置される動力盤であり、動力盤は動力盤装置ベースと動力盤装置ベースの表側を開閉自在に覆う動力盤カバーとを備えた同動力盤カバーの留め構造において、動力盤カバーは動力盤カバー前面部と動力盤カバー側面部とで横断面略Ｌ字状に形成され、動力盤カバー前面部にスイッチ取付用開口が形成され、動力盤装置ベースの前面にはコ字型でその上下両端縁から外方に垂直片状の動力盤カバー受部を突設したスイッチ受け台が固着されており、乗り場呼び装置の主体となるスイッチ本体を動力盤カバーの手前側からスイッチ取付用開口に嵌め込んでスイッチ受け台のコ字型内に納め、スイッチ本体の上下部分をスイッチ受け台の上下の動力盤カバー受部にネジ留めすることで、動力盤カバーをスイッチ本体とスイッチ受け台の上下の動力盤カバー受部との間で挟着し、該動力盤カバーの上面から乗り場呼び装置の主体となるスイッチ本体を固着することを特徴とするエレベーターに設置する開閉自在の動力盤カバーの留め構造。
【請求項２】
スイッチ受け台、動力盤カバー、乗り場呼び装置のスイッチ本体には、前記ネジ留めのための取付用雌ネジ、取付用丸孔、取付用長孔が各々設けられていて、取付用雌ネジピッチが取付用丸孔ピッチ及び取付用長孔ピッチと同等ピッチであることを特徴とする請求項１記載のエレベーターに設置する開閉自在の動力盤カバーの留め構造。
【発明の詳細な説明】
【０００１】
【発明の属する技術分野】
本発明は、エレベーターに設置する開閉自在の動力盤カバーの留め構造に関する。
【０００２】
【従来の技術】
従来、エレベーターの動力盤カバーの留め構造は、動力盤カバーの化粧面よりネジ固定したものが用いられていた。
図３及至図５に従来のエレベーターの動力盤カバーの留め構造を示すものである。
【０００３】
図３に示すように、従来のエレベーターの動力盤カバーの留め構造は、開閉自在の動力盤カバーを動力盤カバー側面部４３の上下の位置に丸孔４５があり、表面側から直接ネジ５３で固定し、キャップ５４にてネジ頭を隠す留め構造であった。
【０００４】
図４に示すように、従来のエレベーターの動力盤カバー４１の留め構造は、動力盤カバー側面部４３の上下の位置に丸孔４５があり、表面側から直接ネジ５３で固定し、キャップ５４にてネジ頭を隠す留め構造であるため、見栄えが良くなく、美観を損なうものであった。動力盤カバー前面部４２の略中央部の位置に乗場呼び装置５２が設置されている。
【０００５】
図５に示すように、従来のエレベーターの動力盤カバー４１の留め構造は、動力盤カバー４１が動力盤カバー側面部４３の端部が断面略コ字状に折れ曲がっており、動力盤カバー受け部４４の端部は断面略Ｌ型に折れ曲がって、動力盤カバー側面部４３の端部と相対している。動力盤カバー受け部４４の端部には雌ネジ部４７が有り、動力盤カバー側面部４３の端部は丸孔４５となっていて、ネジ５３で固定されるものである。動力盤カバー側面部４３には、キャップ５４にて丸孔４５を塞いでいる。
【０００６】
【発明が解決しようとする課題】
以上に述べた従来のエレベーターの動力盤カバーの留め構造の問題点は、表面側から直接ネジで固定し、キャップにてネジ頭を隠しているため、見栄えが悪いというものであった。キャップにてネジ頭を隠しているが、何度も点検時に取外ししていると、すぐに傷むもので、美観を損なうというものであった。
【０００７】
本発明においては、このような従来のエレベーターの動力盤カバーの留め構造が有していた問題を解決することが要求されている。本発明が解決しようとする課題は、エレベーターの動力盤カバーの留めが表面側から直接見えないようにして美観を良くすることである。
【０００８】
【課題を解決するための手段】
本発明の請求項１記載のエレベーターに設置する開閉自在の動力盤カバーの留め構造は、エレベーターの出入開口枠の側枠部分に設置される動力盤であり、動力盤は動力盤装置ベースと動力盤装置ベースの表側を開閉自在に覆う動力盤カバーとを備えた同動力盤カバーの留め構造において、動力盤カバーは動力盤カバー前面部と動力盤カバー側面部とで横断面略Ｌ字状に形成され、動力盤カバー前面部にスイッチ取付用開口が形成され、動力盤装置ベースの前面にはコ字型でその上下両端縁から外方に垂直片状の動力盤カバー受部を突設したスイッチ受け台が固着されており、乗り場呼び装置の主体となるスイッチ本体を動力盤カバーの手前側からスイッチ取付用開口に嵌め込んでスイッチ受け台のコ字型内に納め、スイッチ本体の上下部分をスイッチ受け台の上下の動力盤カバー受部にネジ留めすることで、動力盤カバーをスイッチ本体とスイッチ受け台の上下の動力盤カバー受部との間で挟着し、該動力盤カバーの上面から乗り場呼び装置の主体となるスイッチ本体を固着することを特徴とする。
【０００９】
したがって、エレベーターの動力盤カバーの留めが、表面側から直接見えないようになり美観を良くすることができる。しかも、動力盤カバーを確実に受けることができる。
【００１０】
本発明の請求項２記載のエレベーターに設置する開閉自在の動力盤カバーの留め構造は、請求項１記載のスイッチ受け台、動力盤カバー、乗り場呼び装置のスイッチ本体に、前記ネジ留めのための取付用雌ネジ、取付用丸孔、取付用長孔を各々設け、取付用雌ネジピッチを取付用丸孔ピッチ及び取付用長孔ピッチと同等ピッチとしたものである。
【００１１】
したがって、スイッチ受け台の取付構造を利用してエレベーターの動力盤カバーの留めを行なうことができる。
【００１４】
【発明の実施の形態】
本発明の実施形態を図１及び図２に基づいて説明するものである。
【００１５】
図１に示すように、本実施形態のエレベーターに設置する開閉自在の動力盤カバーの留め構造は、エレベーターの出入開口枠の側枠部分に設置される動力盤であり、動力盤は動力盤装置ベース４と動力盤装置ベース４の表側を開閉自在に覆う動力盤カバー１とを備えた同動力盤カバー１の留め構造において、動力盤カバー１は動力盤カバー前面部２と動力盤カバー側面部３とで横断面略Ｌ字状に形成され、動力盤カバー前面部２にスイッチ取付用開口１０が形成され、動力盤装置ベース４の前面にはコ字型でその上下両端縁から外方に垂直片状の動力盤カバー受部７を突設したスイッチ受け台６が固着されており、乗り場呼び装置９の主体となるスイッチ本体８を動力盤カバー１の手前側からスイッチ取付用開口１０に嵌め込んでスイッチ受け台６のコ字型内に納め、スイッチ本体８の上下部分をスイッチ受け台６の上下の動力盤カバー受部７にネジ留めすることで、動力盤カバー１をスイッチ本体８とスイッチ受け台６の上下の動力盤カバー受部７との間で挟着し、該動力盤カバー１の上面から乗り場呼び装置９の主体となるスイッチ本体８を固着する。
【００１６】
また、図１（ｃ）に示すように、スイッチ受け台６の取付用雌ネジピッチ１３が動力盤カバー１の取付用丸孔ピッチ１４と乗り場呼び装置９のスイッチ本体８の取付用長孔ピッチ１５と同等ピッチである。
【００１７】
図２に示すように、エレベーターの動力盤カバーの留めが、表面側から直接見えないようになり美観を良くすることができる。
【００１８】
以上のように、本実施形態によれば、エレベーターの動力盤カバーの留めが、表面側から直接見えないようになり美観を良くすることができる。
【００１９】
【発明の効果】
以上のように本発明によれば、エレベーターの動力盤カバーの留めが、表面側から直接見えないようになり美観を良くすることができる。
【図面の簡単な説明】
【図１】本発明の実施形態によるエレベーターに設置する開閉自在の動力盤カバーの留め構造を示し、（ａ）は全体構成を示す斜視図で、（ｂ）はスイッチ受け台を示す斜視図で、（ｃ）はスイッチ本体と動力盤カバーの取付を示す斜視図である。
【図２】本発明の実施形態によるエレベーターの動力盤カバーの留め構造の外観を示す斜視図である。
【図３】従来のエレベーターの動力盤カバーの留め構造での動力盤カバーを開けた状態を示す斜視図である。
【図４】従来のエレベーターの動力盤カバーの留め構造による固定状態を示す斜視図である。
【図５】図４のＢ−Ｂ線断面を示す断面図である。
【符号の説明】
１      動力盤カバー
２      動力盤カバー前面部
３      動力盤カバー側面部
４      動力盤装置ベース
５      カバー受け片
６      スイッチ受け台
７      動力盤カバー受部
８      スイッチ本体
９      乗り場呼び装置
１０    スイッチ取付用開口
１１    取付用ネジ孔
１２    ネジ
１３    取付用雌ネジピッチ
１４    取付用丸孔ピッチ
１５    取付用長孔ピッチ
【図１】
0003832388.tif 000002
【図２】
0003832388.tif 000003
【図３】
0003832388.tif 000004
【図４】
0003832388.tif 000005
【図５】
0003832388.tif 000006